Podtech/llm-jp-corpus-v4-ja_patent huggingface dataset:
(57)【要約】【課題】  ネグリジェを着用して眠る時、裾がまくれ上がらないように、スカート部分の股下裏面に、前後身頃を留めるスナップボタンを取り付けた、股下スナップボタン付きネグリジェを提供する。【解決手段】  ネグリジェのスカート部分裏面の股下に、前後身頃を留める開閉自由なスナップボタンを付ける事を特徴とする。【選択図】図１
2013256742.tif 000002
【特許請求の範囲】
【請求項１】
ネグリジェのスカート裏面の股下部分に、前身頃、後身頃を留めるスナップボタン（１）を取り付けた、股下スナップボタン付きネグリジェ。
【発明の詳細な説明】
【技術分野】
【０００１】  この発明は、女性用寝衣のネグリジェのスカート部分の股下裏面の左右の足の間に、前後身頃を留めるスナップボタンを取り付けた、スナップボタンつきネグリジェに関するものである。
【背景技術】
【０００２】  従来、女性用寝衣のネグリジェには股下にスナップボタンは取り付けられていなかった。
【先行技術文献】
【特許文献】
【０００３】
【特許文献１】
【発明の概要】
【発明が解決しようとする課題】
【０００４】  これは、次のような欠点があった。
従来、ネグリジェは着用し眠っている間に、裾がまくれ上がり、腹部より下が露出する上、冷えてしまい、女性にとって不都合なことが多かった。
本発明は、以上のような欠点をなくすためになされたものである。
【課題を解決するための手段】
【０００５】  ネグリジェのスカート部分の股下裏面の左右の足の間に、前後身頃を留めるスナップボタンを取り付ける。
本発明は、以上のような股下スナップボタンつきネグリジェである。
【発明の効果】
【０００６】  ネグリジェのスカート部分の股下裏面の左右の足の間に、前後身頃を留めるスナップボタンが付いているので、眠っている間に裾がまくれ上がることを防ぎ、まくれ上がることによる冷えを軽減できる。下着をつけず就寝する人でも安心して着用できる。スナップボタンで開閉が自由であるため、ホームウェアとしての着用やトイレの際にも便利である。
股下部分にスナップボタンがついているだけなので使うのになんらさしつかえない。
【図面の簡単な説明】
【０００７】
【図１】  本発明の平面図である。
【発明を実施するための形態】
【０００８】  以下、本発明を実施するための最良の形態について説明する。
ネグリジェのスカート裏面の股下部分の左右の足の間に前後身頃を留めるスナップボタン（１）を取り付ける。スナップボタンの数はネグリジェのデザインにより、１〜２個程度とする。
本発明は、以上のような構造である。
これを着用する時は、使用目的によってスナップボタンを自由に開閉すればよい。
【符号の説明】
【０００９】１  スナップボタン（前身頃、後身頃裏布面）
【図１】
2013256742.tif 000003
(57)【要約】【課題】ベビー用靴下は履かせてもすぐ脱げてしまうことで靴下を紛失し、足が冷えるなどが悩みだった。  本発明は、靴下が脱げないための靴下を提供する。【解決手段】靴下の内側に靴下と足首を固定するストラップを設けることを特徴とする脱げにくい靴下。【選択図】図４
2013256741.tif 000002
【特許請求の範囲】
【請求項１】
靴下の内側の少なくとも踝より上側に靴下と足首を固定するためのストラップを設けた脱げにくい靴下。
【発明の詳細な説明】
【技術分野】
【０００１】  本発明は、容易に脱落しない靴下に関するものである。
【背景技術】
【０００２】  従来、靴下が脱げないようにするためには、ズボンの中に靴下を入れ込み摩擦で脱げにくくする方法しかなかった。
なお、幼児が靴下を引っ張って脱いでしまうのを防止するために、つま先とかかとのない形の靴下を靴下の上から重ね履きさせるものが知られている（非特許文献１）。
【先行技術文献】
【非特許文献】
【０００３】
【非特許文献１】Ｓｏｃｋ  Ｏｎｓ“Ｓｏｃｋ  Ｏｎｓ”［ｏｎｌｉｎｅ］［平成２４年５月１５日検索］、インターネット＜ＵＲＬ：ｈｔｔｐ：／／ｗｗｗ．ｓｏｃｋｏｎｓ．ｃｏ．ｕｋ／ｐｒｏｄｕｃｔｓ／ｓｏｃｋｏｎｓ／＞
【発明の概要】
【発明が解決しようとする課題】
【０００４】  ベビー、特に足の肉付きのない新生児に靴下を履かせてもすぐに脱げてしまい靴下を片方だけ紛失してしまったり、足が冷えてしまったりしていた。
本発明は、以上の問題点を解決するためになされたものである。
【課題を解決するための手段】
【０００５】  踝より少し上の靴下内側位置に足首と靴下を固定させるストラップを設ける。
以上の構成よりなる靴下。
【発明の効果】
【０００６】  従来、脱げてしまうことで靴下を紛失する、足が冷えるなどと悩まされていたベビー用靴下が、本発明により解決され、安心して履かせることができる。
本発明は、足の肉付きのない成人、高齢者にも応用することができる。
【図面の簡単な説明】
【０００７】
【図１】本発明の正面図
【図２】Ａ−Ａ端面図
【図３】Ｂ−Ｂ端面図
【図４】使用状態を示す一部を切欠いた斜視図
【発明を実施するための形態】
【０００８】  以下、本発明の実施の形態を説明する。
【実施例１】
【０００９】  足を締め付け過ぎない程度の伸縮性・弾力性のある布製の帯状のストラップ（１）の一端に止着具（２ａ）を設ける。
靴下の内側、踵から足挿入口までを示す足首部４ａに止着具（２ｂ）を縫い付ける。縺い付ける位置は足首ライン、好ましくは足首部略中央である。この場合の足首ラインとは足の踝の上の少し細くなった部分のことである。【００１０】  縫い付け部（３）は図２の中心線を軸に止着具（２ｂ）と左右対称になる位置に設ける。靴下へは、足挿入方向に対して平行に、踵側もしくは甲側に縫い付ける。図は足首ラインの踵側に縫い付けたものである。【００１１】  ここで示す、止着具とはスナップボタン、面ファスナーなどを示す。本発明に於いては、スナップボタンを用いるのが最も好ましい。
【実施例２】
【００１２】  ストラップ素材にゴム製を用いる場合、ストラップ（１）の両端を靴下に縫い付け、環状体を構成させる。縫い付ける位置は、図３の止着具（２ｂ）、縫い付け部（３）の位置に直接縫い付ける。平ゴムを用いることが好ましい。
本発明は以上のような構造である。
本発明を使用するときは、対象者に靴下を履かせ、ストラップ（１）が足首の前面を通り止着具（２ａ）と止着具（２ｂ）をとめる。
【符号の説明】
【００１３】１  ストラップ、  ２ａ，２ｂ  止着具、  ３  縫い付け部、  ４  靴下、
４ａ  足首部
【図１】
2013256741.tif 000003
【図２】
2013256741.tif 000004
【図３】
2013256741.tif 000005
【図４】
2013256741.tif 000006
(57)【要約】【課題】ワイシャツ等の襟にネクタイを装着するには、毎回、ボタンやピンを外したり、襟を立ててからネクタイを装着しなければならず、手間と時間を必要とした。【解決手段】帯状のネクタイ通しにネクタイを借固定させて襟の下を通す。【選択図】図１
2013256744.tif 000002
【特許請求の範囲】
【請求項１】
帯状の一端にネクタイを借固定できることを特徴とするネクタイ通し
【請求項２】
借固定が穴である請求項１のネクタイ通し
【請求項３】
借固定が切り込みである請求項１のネクタイ通し
【発明の詳細な説明】
【技術分野】
【０００１】この発明はワイシャツ等の衣服に用いるネクタイ通しの形状に関する。
【背景技術】
【０００２】従来のワイシャツ等の衣服に用いるネクタイの着用は図２に示すように襟を立てて装着するものである。
【発明の開示】
【発明が解決しようとする課題】
【０００３】しかしながら、以上の技術によれば、次のような欠点があった。
（イ）襟を立てないとネクタイの装着が困難であり、手間と時間を要する。
（ロ）襟にボタンやピンが付いている場合は、それらをはずしてから襟を立てる必要があ      り、さらに手間と時間を要する。【０００４】そこでこの発明はこれらの欠点を解決するために、ボタンやピンを外したり、襟を立てる動作をせず、手間削減と時間短縮が可能なネクタイ通しを提供することを課題とする。
【課題を解決するための手段】
【０００５】以上の課題を解決するために、第一発明は帯状の一端にネクタイを借固定できることを特徴とするネクタイ通しである。
【発明の効果】
【０００６】第一発明によれば、このネクタイ通しを使うことによって、襟を立てる必要がなくなり、かつ、ボタンやピンもはずす必要もないことで大幅な手間削減と時間短縮になりうる。
【図面の簡単な説明】
【０００７】
【図１】この発明の一実施形態を示す正面図である。
【図２】従来技術を示す正面図である。
【図３】この発明の本体を示す正面図である。
【図４】この発明の他の実施形態を示す正面図である。
【発明を実施するための形態】
【０００８】この発明の一実施形態を、図１に示す。
帯状の本体１の後部分２にはネクタイを借固定できる穴３が開けてあり、あらかじめそこにネクタイＸを少し通し借固定しておく。ワイシャツの襟Ａにはボタン穴Ｂが開いており、シャツの身頃Ｆに縫いつけられたボタンＣで留められている。ワイシャツの襟Ａとシャツ身頃Ｆとの隙間Ｄに本体１の前部４を徐々に差し入れて行き、襟の隙間を一周させて反対側の襟の隙間Ｅから抜き出す。そうすることで、本体１の穴３に通してあったネクタイＸが自動的に襟Ａとシャツ身頃Ｆの隙間を通り、ボタンＣを外したり、襟Ａを立てることなく、ネクタイＸを通せる。
【０００９】この発明の本体を図３に示す。
本体１は帯状の物体でできており、後部分２にネクタイを借固定するための穴３が開いている。前部分４は丸くデザインされている。穴３はネクタイが通せるサイズである。
【００１０】「実施形態の効果」
この実施形態によれば、襟を立てたり、ボタンやピンを外したりする必要が無いので、手間が省け、時間短縮にもなる。
【００１１】「他の実施形態」
図１の実施形態では穴３が開いているが、他の実施形態では、図４のようにネクタイを借固定できる切り込み５であってもよい。
【符号の説明】
【００１２】１、ネクタイ通し本体    ２、本体の後部分    ３、ネクタイを借固定するための穴
４、本体の前部分    ５、ネクタイを借固定するための切り込み
Ａ、ワイシャツの襟    Ｂ、襟に開けられたボタン穴    Ｃ、シャツの身頃に縫い付けられているボタン    Ｄ、ボタンで留められた襟とシャツ身頃との隙間
Ｅ、ボタンで留められた襟とシャツ身頃との隙間（Ｄの反対側）    Ｆ、ワイシャツ身頃
【図１】
2013256744.tif 000003
【図２】
2013256744.tif 000004
【図３】
2013256744.tif 000005
【図４】
2013256744.tif 000006
(57)【要約】      （修正有）【課題】簡単な操作で、高い安定感を得られる二輪車用のサイドスタンドを提供する。【解決手段】サイドスタンドを立てて使用する際、そのスタンドを中途から２本以上に枝別れさせ、二輪車を駐車する際にスタンドを立ててロックした状態において、そのそれぞれの先端が地面に接することができる長さにした。このスタンド１を使用すると、従来の一本脚のスタンドと異なり、スタンドの接地する点が複数になることから、自転車等が風で煽られた場合などにも自転車等の車輪が回転しにくく、自転車等の本体がバランスを崩しにくくなるので安定感が向上する。【選択図】図１
2013256170.tif 000002
【特許請求の範囲】
【請求項１】
自転車等の二輪車のサイドスタンドにおいて、一本スタンドが中途から２本以上に枝  別れし、二輪車を駐車する際にスタンドを立ててロックした状態において、そのそれぞ  れの先端が地面に接する長さであることを特徴とするサイドスタンド。
【請求項２】
自転車等の二輪車のサイドスタンドにおいて、一本スタンドが中途から幾重にも折り  曲げられ、二輪車を駐車する際にスタンドを立ててロックした状態において、そのそれ  ぞれの折り曲げられた部分の頭頂部が、地面に接する長さであることを特徴とするサイ  ドスタンド。
【発明の詳細な説明】
【技術分野】
【０００１】
本発明は、自転車等の二輪車のサイドスタンドに関する。
【背景技術】
【０００２】
一般的な自転車等の二輪車のサイドスタンドは、傾斜地や不安定な場所を避け、でき  るだけ平地にて一本脚で自転車等を支えて駐車するのが普通である。
【０００３】
一方、両立スタンドは、自転車等の後輪を持ち上げて、その後輪の下方の両サイドの  ２点が接地し、前輪とともに３点で自転車等を支えて駐車するものである。
【発明の概要】
【発明が解決しようとする課題】
【０００４】
しかしながら、上述したスタンドにあっては、一長一短があり、一本脚のサイドスタ  ンドより安定感がある両立スタンドにあっては、後輪を持ち上げなければならず、特に  、荷台の付いてない車種においては使い勝手が悪い。また、一本脚のサイドスタンドに  あっては、前後輪とスタンドが３点で接地して自転車等を支えているため、自転車等が  強風で煽られたりした場合にスタンドの接地している点を中心にして、自転車等の車輪  が回転して自転車等の本体がバランスを崩して、倒れてしまいやすい欠点があり、その  使用時の簡便さと高い安定感を同時に満足することは難しかった。
【０００５】
本発明は、このような問題を解決するためになされたもので、サイドスタンドの使用  時の簡便さと、両立スタンドの高い安定感のすべてを同時に満足することのできるサイ  ドスタンドを提供することを目的とする。
【課題を解決するための手段】
【０００６】
上記目的を達成するため、本発明は、自転車等の二輪車のサイドスタンドにおいて、  一本スタンドを中途から２本以上に枝別れさせ、二輪車を駐車する際にスタンドを立て  てロックした状態において、そのそれぞれの先端が地面に接することができる長さにし  た。または、一本スタンドを中途から幾重にも折り曲げ、二輪車を駐車する際にスタン  ドを立ててロックした状態において、そのそれぞれの折り曲げられた部分の頭頂部が、  地面に接するように折り曲げた。
【発明の効果】
【０００７】
本発明のサイドスタンドを使用すると、両立スタンドを使用する時のように後輪を持  ち上げる動作が不要であり、従来の一本脚のサイドスタンドを使用する場合と同様に操  作して立てることができ、それでいて、従来の一本脚のスタンドと異なり、スタンドの  接地する点が複数になることから、自転車等が風で煽られた場合などにも自転車等の車  輪が回転しにくく、自転車等の本体がバランスを崩しにくくなるので安定感が向上する  。
【図面の簡単な説明】
【０００８】
【図１】本発明に係るスタンドで中途から２本以上に枝別れさせたものの平面    図である。
【図２】本発明に係るスタンドで中途から幾重にも折り曲げたものの平面図で    ある。
【発明を実施するための形態】
【０００９】
本発明の実施形態について、図面を参照して説明する。図１は、本発明に係る二輪車  のサイドスタンドで、中途から２本以上に枝別れさせたものの実施形態で、図２は、中  途から幾重にも折り曲げたものの実施形態である。
【符号の説明】
【００１０】
１  中途から２本以上に枝別れさせたスタンド
２  中途から幾重にも折り曲げたスタンド
【図１】
2013256170.tif 000003
【図２】
2013256170.tif 000004
(57)【要約】      （修正有）【課題】タイヤ内に発電装置を設置し易い、組み合わせ式のホイルを提供する。【解決手段】対称形の２つの部品１，２を組み合わせてホイルにすることを特徴とする。【選択図】図１
2013256273.tif 000002
【特許請求の範囲】
【請求項１】
対称形の２つの部品を組み合わせて作る、組み合わせ式ホイル。
【発明の詳細な説明】
【技術分野】
【０００１】  この発明は、車産業のホイルに関するものである。
【発明の概要】
【発明が解決しようとする課題】
【０００２】  従来、ホイルはタイヤを保持し支える事が主な目的であり、タイヤ内の空間の利用を意識したものではなかった。【０００３】  本発明は、タイヤ内に発電装置を設置するために、タイヤ内空間を最大限に確保すること、また、タイヤ内に発電装置を設置し易くすることを目的とするものである。
【課題を解決するための手段】
【０００４】  ホイルを対称形の２つの部品を組み合わせて作る。本発明は、このような構成の組み合わせ式ホイルである。
【発明の効果】
【０００５】  ホイルの周部分に出来た断面がＵ字形の空間によってタイヤ内空間が大きくなり、その分大きな発電装置を設置することができる。【０００６】  ホイルが組み合わせ式なので、タイヤと結合させるときにはタイヤを挟むようにホイル部品を組み合わせることにより、内部に発電装置を設置することが容易になる。【０００７】  従来ホイルはタイヤを支える部品だったが、発電装置のカバーの一部となり、ホイルの利用価値が増大する。
【図面の簡単な説明】
【０００８】
【図１】ホイル部品（１）、（２）をタイヤを挟んで組み合わせる前の断面図である。
【図２】ホイル部品（１）、（２）をタイヤを挟んで組み合わせた後の断面図である。
【発明を実施するための形態】
【０００９】  本発明の実施の形態を図１、図２を用いて説明する。対称形のホイル部品の片方（１）にタイヤをあてがい、タイヤ内に発電装置を置き、発電装置の一部分を（１）の所定の位置に取り付ける。次にもう片方のホイル部品（２）を、タイヤを挟むようにして、パッキング、ボルト、ナットを用いて、組み合わせる。
【符号の説明】
【０００１０】  １  対称形のホイル部品の片方
２  対称形のホイル部品のもう片方
３  車軸が通る穴
４  タイヤ
【図１】
2013256273.tif 000003
【図２】
2013256273.tif 000004
(57)【要約】【課題】クリーンなエネルギーを得るために、地球の重力を利用し遠心力回転エネルギーを増力して発電する装置を提供する。【解決手段】直立した回転軸の外周方向にアームを出し、その先端に重量物を取り付け、その回転軸の上部点を上部シャフトに吊り下げ、傾斜した状態で回転させると、重量物に遠心力が発生する。その遠心力が回転軸に回転力として伝達され、回転エネルギーが発電機に伝達され電気エネルギーとして使用することができる。回転軸は遠心力を利用するため、小さなエネルギーで回転することができる。【選択図】図３
2013256932.tif 000002
【特許請求の範囲】
【請求項１】
独立した回転軸の中間に、回転軸より外周方向に伸びるアームとアームの先端に設けた重量物からなり、下部回転軸支持板の固定穴に沿って回転軸部を移動する時に重量物の遠心力により、小さな力で回転を操作出来るようにした。
【請求項２】
回転軸に取り付けるアームは、回転軸の軸方向の中心部又は下側で、かつ回転軸に対して水平、又は下側に傾斜していることを特徴とする。
【発明の詳細な説明】
【発明の詳細な説明】
【技術分野】
【０００１】本発明は、回転軸に不均衡になるアームを取り付け、さらにアームの先端に重量物を取り付け、この回転軸を傾斜回転させ重量物の遠心力を利用して大きなエネルギーを得る装置として開発する。その目的はクリーンエネルギーによる発電である。
【背景技術】
【０００２】従来のクリーンエネルギー開発は、風力、太陽光、水力、地熱等、幅広い分野で開発されているが、天候に左右されるなど問題点も多い。遠心力回転は、大自然に束縛されない地球の重力を利用し、無限のエネルギーを得ることができる。
【発明が解決しようとする課題】
【０００３】地球温暖化防止、大規模発電の問題防止、電気自動車の開発、自家発電の普及
【問題解決しようとする課題】
【０００４】回転軸に不均衡になるアームを取付け、アームの先端に重量物を取付け、これを傾斜回転させて、遠心力を発生させ、これをエネルギーとして使用する。
【発明の実施と形態】
【０００５】本発明の、発電に必要な回転力は回転軸の長さ、重量物の質量、アームの長さ及び、取り付け角度によって設定出来、又回転数も設定出来るので安定したクリーンエネルギーを得ることが出来る。上部回転軸の回転移動手段は、小型発動機又は、水力動力を補助駆動として使用する。
【０００６】
【特許文献】特開２０００−３５０４３８
【実施例】
【０００７】図１：回転軸と重量物を回転アームで接続した状態を示し回転軸を直立させた時は重量物側に傾く。
図２：フレームに上部回転軸支持座を取付け、下部に回転支持板用金具を立て、これに下部回転支持板を取り付けます。上部回転軸支持座のシャフト下側に回転軸と重量物を取り付けた金具を取付用カップリングを使用して吊り下げます。
重量物の質量で回転軸はバランスを取るため大きく傾斜します。
図３：回転軸の下部端を下部回転軸支持板に設けられた箇所に差し入れます。回転軸の下部端は外側に向けて力を作用させます。
回転軸の力をアンバランスの状態で下部回転軸支持板を回転支持板駆動装置によって回転を与えると小さな力で回転を始めます。
傾斜取り付けされている回転軸は遠心力と不均衡なバランスのため回転軸を中心として回転を始めます。遠心力が働くため回転支持板の駆動は小さくなり回転軸は連続回転をし、回転力伝動板を使用し発電機を回転させクリーンエネルギーを発生させます。
【発明の効果】
【０００８】本発明は遠心力を最大限利用し、小型発動機を遠心力装置の補助駆動とし少しの電力で大きな電力を得ることが出来る装置として発明の効果を十分発揮し、クリーンエネルギーとして豊かな暮らしに貢献できる遠心力発電装置である。
【図面の簡単な説明】
【図１】遠心力回転発電装置設置時の回転軸に回転アームと重量物を取付けた図
【図２】遠心力回転発電装置設置時に回転軸を吊り下げた正面図
【図３】遠心力回転発電装置を設置した状態の正面図
【図４】遠心力回転発電装置左右アンバランス時の正面図をＰから見た図
【図５】遠心力回転発電装置回転時の正面図をＱから見た図
【符号の説明】［１］    フレーム
［２］    回転軸
［３］    回転アーム
［４］    重量物
［５］    上部回転軸支持座
［６］    下部回転軸支持板
［７］    カップリング
［８］    下部回転支持板用固定金具
［９］    下部回転支持板駆動装置
［１０］  回転軸伝動板
［１１］  回転力伝動装置
［１２］  発電機
【図１】
2013256932.tif 000003
【図２】
2013256932.tif 000004
【図３】
2013256932.tif 000005
【図４】
2013256932.tif 000006
【図５】
2013256932.tif 000007
(57)【要約】      （修正有）【課題】全方向の風に対応する風車で、低回転低騒音、仕組みが簡単で故障しにくい、発電装置が下部にあるため保守管理しやすい風車を提供する。【解決手段】風車は主軸１に副軸２が貫通していて回転する。副軸２に角度の違う２枚の風受け板４を両端に取り付け、２枚の風受け板４は風を受けると互いに風を受けたり逃がしたりする方向に回転して主軸を回転させる。連続して主軸を回転させる為に副軸２及び風受け板４を高さ位置、角度を変えて複数個を主軸に取り付ける。【選択図】図１
2013256930.tif 000002
【特許請求の範囲】
【請求項１】
風の力で回転する風車の構造において、垂直に立てられた主軸に回転する横方向の副軸が貫通する、回転する副軸の両端に風を受ける為の風受け板をとりつける。
【請求項２】
副軸に取り付けたれた両端の２枚の風受け板は角度を変えて取り付ける。
風を受けた時、一方の風受け板は風を直接平面で受ける方向に回転して垂直位置付近で止まる、もう一方の風受け板は風を受けた時風を逃がすよう風と平行方向に止まるように角度を変えて取り付ける。風車が静止状態の時は２枚の風受け板の重さが釣り合う中間角度で止まる。副軸に取り付けられた風受け板が必要以上に回転しない為の止め具を取り付ける。
【請求項３】
風車の副軸の両端に取り付けられた風受け板の下方端部に風力を受けやすく副軸の回転効率を良くするための回転誘導補助板を取り付ける。
【請求項４】
風車の副軸に風受け板を取り付けるその上から補強板を取り付けてねじ止めをする。
副軸と風受け板の接合の補強とねじれ防止の為に補強板を取り付ける。
【請求項５】
風受け板の回転角度の制限は副軸にネジ止めされる回転制御ボルトとゆるみ止めスリーブと副軸筒のボルト移動穴の大きさで調節する。
【請求項６】
主軸に取り付けられた副軸及び両端の風受け板は、この風車が連続して滑らかに回転するために高さ位置と角度を変えて複数個取り付ける。
【請求項７】
主軸が方向不安定な風に不用意に逆回転しない為に、逆回転防止機具を取り付ける。
【発明の詳細な説明】
【技術分野】
【００００１】この考案は、主に風力発電に使用する風車に関するものである。
【背景技術】
【００００２】従来、風力発電の風車はプロペラ型の方式が主に実用されているがプロペラ方式は風を受ける方向に指向性がある。
【発明の開示】
【発明が解決しようとする課題】
【００００３】そのため次のような問題点があった。
風の吹く方向は一定ではなく変化するため常に大型プロペラは風の吹く方向へ向きを変える必要がある。また小型プロペラ風車は回転数が高く騒音が大きい。
プロペラ型風車は回転している姿が自然風景に対して科学的で、人為的であり自然景観に逆らう不自然さがあると思う。
【課題を解決するための手段】
【００００４】風車の上下方向の主軸に対して回転する横方向の副軸を取り付け副軸の両端に風を受ける風受け板を角度を逆方向に取り付ける。副軸両端の２枚の風受け板は風力を受けると一方は風を直接受ける垂直方向に回転する、もう一方の風受け板は風力を受けない平行方向に回転する。垂直方向回転した風受け板が風の力を受けて主軸を回転させる、対してもう一方の風受け板は風に対して平行方向に回転するため風力を逃がす、したがって主軸は回転する。
連続して滑らかに回転させる為、主軸に高さ位置、角度を変えて複数個の副軸および風受け板を取り付ける。
風車の風受け板の中間角度停止状態における斜めに停止している風受け板の下方端部に副軸の回転の効率を良くするための補助板を水平方向に取り付け風車の回転効率を向上させる。
連続して滑らかに回転させる為、主軸に高さ位置、角度を変えて複数個の副軸および風受け板を取り付ける。
この風車はどの方向からの風にも対応して回転することができる、風受け板は風力を平面で受けるので直接的に大きな回転力に変換できる。
風受け板が回転して風力をとらえて風車が回転して、また次の風受け板が回転して風をとらえて風車が回転する、この風車が回転する様子は自然的で自然景観的にも良い。
【発明の効果】
【００００５】風の吹く全方向に対応し効率的な回転が得られる。低速回転なので騒音が少ない。
【発明を実施するための最良の形態】
【００００６】以下本発明の実施の形態について説明する。
（イ）本発明の風車は主軸（図▲１▼）に取り付けられた回転する副軸（図▲２▼）の両側に風受け板（図▲３▼▲４▼）を互いに図３のように角度を変えて取り付けてある。風のない状態では図３のように風受け板（図▲３▼▲４▼）は重さ釣り合い中間地点で停止している。
（ロ）風が吹くと風受け板（図▲３▼）は風の力で斜めの状態から下の方へ回転する。
風受け板（図▲３▼）は風の力で垂直付近の角度まで押し下げられると回転制御ボルト図▲７▼のゆるみ止めスリーブ（図▲８▼）がボルト移動穴（図▲９▼）の奥行き止まり部分に当たり風受け板（図▲３▼）は回転が止まり垂直状態で停止、風力を直接受けるので風車主軸（図▲１▼）を回転させる。風受け板（図▲４▼）は風の力を受けると後方上方向に押される、水平付近の角度まで押し上げられるとるとの回転制御ボルト（図▲７▼）のゆるみ止めスリーブ（図▲８▼）がボルト移動穴（図▲９▼）の奥行き止まり部分に当たり風受け板（図▲４▼）は回転が止まり風力を受けない状態になるので、風車は図４の状態になり風車は回転し始める。風受け板（図▲３▼）は回転して風を強く受けない角度まで主軸が回転すると風受け板（図▲３▼）は反対側の風受け板（図▲４▼）の重さで重さ釣り合い中間地点に戻る。
（ハ）風受け板は少ない風力からでも作動する為にの誘導板（図▲５▼）を取り付ける。
回転制御ボルト（図▲７▼）はゆるみ止めの為にゆるみ止めスリーブ（図▲８▼）を装着する。
副軸（図▲２▼）と風受け板（図▲３▼▲４▼）の取り付けに補強板（図▲６▼）を被せてネジ止め固定する。
（ニ）主軸は高さ位置、角度を変えた複数個取り付けられた副軸風受け板により連続的に回転する。風力で回転する風車主軸の下方にある発電機を回して発電する。
（ホ）風の吹く方向が不安定な場合、主軸（図▲１▼）が回転方向を迷うことがあるため主軸に逆回転防止機具（ワンウェイクラッチ）（図▲１３▼）を装着する。
【図面の簡単な説明】
【００００７】
【図１】無風状態の本発明の風車の全体斜視図
【図２】本発明の風車の主軸、副軸、風受け板の一部分拡大斜視図
【図３】微風状態の本発明の風車の一部分停止した状態の斜視図
【図４】風力が作用した本発明の風車の一部分回転し始める状態の斜視図
【符号の説明】
【０００８】▲１▼    主軸
▲２▼    副軸
▲３▼    風受け板
▲４▼    風受け板
▲５▼    誘導板
▲６▼    補強板
▲７▼    回転制御ボルト
▲８▼    ゆるみ止めスリーブ
▲９▼    ボルト移動穴
▲１０▼  副軸受けベアリング
▲１２▼  主軸受け
▲１３▼  逆転防止機具
▲１４▼  主軸受け
▲１５▼  発電機
【図１】
2013256930.tif 000003
【図２】
2013256930.tif 000004
【図３】
2013256930.tif 000005
【図４】
2013256930.tif 000006
(57)【要約】【課題】  花の束ねケースを提供する。【解決手段】  花の束ねケースの握り部分上に、７０パセント以上の円筒部分を残した間口を設け、花の束ね収納部分内に、仕分け棒を設けた。【選択図】図１
2013256332.tif 000002
【特許請求の範囲】
【請求項１】
花の束ねケースの握り部分上に、７０パセント以上の円筒部分を残した間口を設けた。
【請求項２】
花の束ねケース、握り部分上に設けられた、間口より上に、平行に仕分け棒を設けた。
【発明の詳細な説明】
【技術分野】
【０００１】  本発明は花束制作に必要な、花の束ねケースの握り部分上に、間口と、本体の収納部分内に仕分け棒を間口上に平行に設けた、花の束ねケースに関する。
【背景技術】
【０００２】  従来の店での花束制作においては、握り直しの繰り返しの手間が生じていた、また仕上げや見栄えのテスト枠を広げずらかった。
【発明の開示】
【発明が解決しようとする課題】
【０００３】  花束制作においては、握り直しの繰り返しで、花の種類選び、色合わせ，背丈合わせ、花の位置付け、見栄え仕上げなどで、握り直しの繰り返しの手間が生じていた、また仕上げの見栄えのテスト枠を広げずらかった。
【課題を解決する手段】
【０００４】（イ）  花の束ねケース（１）に、握り部分（４）上に、７０パセント以上の円筒部分を        残した間口（６）を、設けることに予って、花を握り手に握っている感覚を、得        るようにした。
（ロ）  間口（６）上に、平行な、仕分け棒（７）で、見栄えや仕上げのテスト枠を広げ        る仕分け棒（７）を設けた。
【発明の効果】
【０００５】  花の束ねケースの握り部分で、直接花を握り手に握ってる感覚で花束を、制作できるようにした。
また間口上の仕分け棒で、見栄えや仕上げのテスト枠を広げる用途を開いた。
【発明を実施するための最良の形態】
【０００６】      以下、本発明の実施の形態について説明する。
（イ）  花の束ねケース（１）に、握り部分（４）上に、間口（６）を設ける、また間口        （６）上に収納部分（２）に、仕分け棒（７）を設ける。
（ロ）  花の束ねケース（１）の間口（６）上に、蓋（５）で蓋受縁（３）部分にあてが        って閉じる。
【図面の簡単な説明】
【０００７】
【図１】本発明の利用展開の正面図
【図２】本発明の上面図
【図３】本発明の左側面図
【符号の説明】
【０００８】１  花の束ねケース本体
２  収納部分
３  蓋受縁
４  握り部分
５  蓋
６  間口
７  仕分け棒
【図１】
2013256332.tif 000003
【図２】
2013256332.tif 000004
【図３】
2013256332.tif 000005
(57)【要約】      （修正有）【課題】自動販売機で飲料水を求める際、清水と清水以外の飲料水を一度に同時に購入することができるようにする。【解決手段】小型ペットボトル１の底部を、小型ペットボトル２の口の部分が差し込めるよう加工する。そして、小型ペットボトル１を上に小型ペットボトル２を下にして二本を合体させ、合体部をプラスチックの帯３で巻いて、一本の合体型ペットボトルとする。【選択図】図３
2013256331.tif 000002
【特許請求の範囲】
【請求項１】
小型ペットボトル２本の、上部にあたるペットボトル１の底部に、下部に当たるペットボトル２の口に当たる部分を、差し込める様に加工したペットボトル。
【請求項２】
小型ペットボトル２本の、上部にあたるペットボトル１の底部に、下部に当たるペットボトル２を接続させ、プラスチックの帯３で巻いて２本を、１本の形にしたペットボトル。
【発明の詳細な説明】
【技術分野】
【０００１】この発明は２本の小型飲料用ペットボトルを合体させ、１本のペットボトルとする事を目的とする、合体型飲料用ペットボトルに関する。
【背景技術】
【０００２】従来自動販売機等で飲料水を求める場合、自分の好みによって選定購入していた。【０００３】これは次のような欠点があった。
（イ）喉の渇きには清水を求めたいが飲み残しの清水は持ち運ぶか処分するか迷う。
（ロ）持ち運び用としては清水以外も欲しい。
（ハ）清水以外を選択する場合種類が多く選定に迷う。
【課題を解決しょうとする手段】
【０００４】前記の課題を解決しょうとする手段は以下の通りである、小型飲料用ペットボトル２本を合体出来る様に加工し、合体させて２種類の飲料用ペットボトルを１本にする。
【発明の効果】
【０００５】（イ）飲料水を購入する際、２種類の飲料水を一度に購入出きるため、選択の迷いが解消される。
（ロ）１本は飲み終えても、もう１本は持ち運び出来る。
【実施例１】
【０００６】小型飲料用ペットボトル２本を１本の飲料水は清水とし、もう１本の飲料水は清水以外の飲料水とする、２本を合体出来る様加工し、合体させてプラスチックの帯で巻き２種類の飲料用ペットボトルを１本にする。
【図面の簡単な説明】
【図１】ペットボトル１の平面図である。
【図２】本発明の正面図である。
【図３】本発明の断面図である。
【符号の説明】１  上部ペットボトル
２  下部ペットボトル
３  プラスチックの帯
【図１】
2013256331.tif 000003
【図２】
2013256331.tif 000004
【図３】
2013256331.tif 000005
(57)【要約】【課題】青果物に使用される包装材に糖アルコール類物質を含有させ、糖アルコールの吸熱作用を利用し包装材内部の温度上昇を抑制させ青果物の鮮度劣化を抑えること（鮮度保持）により消費者により新鮮な品質の青果物を提供する。【解決手段】青果物用包装材の原料である石化ペレットに糖アルコール類（キシリトールやエリスリトール等）を添加剤として含有させて製造、製品化し、糖アルコールの特徴である吸熱作用を青果物から蒸散される水分との結合から発生させ、包装材内部の温度上昇を抑制させることにより青果物の呼吸量を抑え青果物の新鮮さを促進させることを特徴とする。【選択図】図１
2013256308.tif 000002
【特許請求の範囲】
【請求項１】
水分と結合すると吸熱作用が発生する糖アルコール類（キシリトール、エリスリトール等）を青果物包装材であるフィルム類や成型容器類の製造工程に添加剤として含有させ製品化する。  その製品に包装された青果物は包装材内部で青果物から発生される水分（蒸散）とその包装材に含有されている糖アルコール類との結合により包装材内部の温度上昇を抑制させる。その包装材内部の温度上昇抑制効果は青果物の呼吸量をより少なくし青果物の鮮度劣化を抑えることができる。
【発明の詳細な説明】
【技術分野】
【０００１】
この発明は、青果物の包装材に糖アルコール（キシリトール・エルスリトール）を添加させ、包装材内の温度上昇を抑制する青果袋、青果容器に関するものである。
【背景技術】
【０００２】
従来、青果物用の包装材自体で温度上昇を抑制させる機能を持つものは無かった。
【先行技術文献】
【特許文献】
【０００３】
【特許文献１】特開2005-307126（P2005-307126A)
【特許文献２】特開2004-130048（P2004-130048A）
【非特許文献】
【０００４】
【非特許文献１】阿武喜美子・瀬野信子著  「糖化学の基礎」  講談社サイエンティック
【非特許文献２】化学技術振興機構  「日本化学物質辞書Web  エリスリトール」
【発明の概要】
【発明が解決しようとする課題】
【０００５】
そのために、次のような問題点があった。
収穫後、パッケージされた青果物は流通、販売、消費の過程で温度上昇により鮮度劣化が促進される場面が有るが、従来品では包装材（パッケージ）自体で温度上昇を抑制させる機能を持つものはなかった。  本発明は、以上の問題点を解決する為のものである。
【課題を解決するための手段】
【０００６】
青果物包装材のプラスチック原料である石化原料（ＯＰＰ、ＣＰＰ、ＰＥＴ、ＰＳ、ＰＥ等）に糖アルコール（キシリトール、エリスリトール等）を添加剤として混入させたペレットを製造、そのペレットから青果物包装用フィルムや青果物包装用成型容器を製造する。  
本発明は以上のような構成による青果物用上昇温度抑制包装材である。
【発明の効果】
【０００７】
糖アルコール類（キシリトールやエリスリトール等）は水分と結合すると周りの熱を吸収する作用があり、その作用を利用し包装材内の青果物から蒸散される水分と包装材に混入されている糖アルコールを反応させて包装材内の温度上昇を抑え、その低温化により青果物の呼吸量を抑制し新鮮さを保つ機能を持たせる従来にはない包装材である。
【図面の簡単な説明】
【０００８】
【図１】本発明に係わる温度上昇抑制のしくみについての包装材内部の断面図である。
【図２】本発明に係わる物質の機能についての説明拡大図である。
【発明を実施するための形態】
【０００９】
以下、本発明を実施するための形態について説明する。
青果物用包装材のプラスチック原料である石化原料（ＯＰＰ、ＣＰＰ、ＰＥ、ＰＳ、ＰＥＴ等）をペレット化する際、糖アルコール類から選ばれる少なくとも一種類（キシリトール、エリスリトール等）を添加剤として含有させ、青果物用包装フィルム、成型容器などの製品を製造する。
【実施例】
【００１０】
従来製品と同様、青果物のパッケージ製品（フィルム、成型品）として実用する。
糖アルコール（キシリトール、エリスリトール）は自然界に広く分布する安全な甘味料の一種で既にガムや歯磨きで多く使用されており、青果物が包装材内で直接接触しても安全な天然素材である。
【符号の説明】
【００１１】
１   包装材内部全体図
２  青果物
３  包装材内面
４  包装材外面
５  糖アルコール
６  水分（蒸散）
７  吸熱作用
【図１】
2013256308.tif 000003
【図２】
2013256308.tif 000004
(57)【要約】【課題】本発明は、風を利用し、自然エネルギーを使うことで、有害物質を出さずに発電する事を目的とする。又、低価格な発電装置の普及を目指す。【解決手段】重要なことは、風の利用方法で、必要な風と不必要な風との使い分けで、現在の風力発電は不必要な風も遮断しないため発電効率が悪い。又、羽根が回転する時に風を切るため、低周波振動等が発生し、公害問題がある。本発明は必要な風を利用する、発電装置を覆う、風避けカバー（５）を取り付ける事で発電効率が上がり、又、小型化も可能で、電気が必要な所で使用できる風力発電用タービンである。【選択図】図１
2013113292.tif 000002
【特許請求の範囲】
【請求項１】
風力発電の特徴、風の力を利用する事が生命線であり、風をつかまえ、風を自由に使い分ける装置が重要である。
発電するための、回転に必要な風を導き、抵抗する風を遮断する方法とし装置一体の権利を希望します。
【発明の詳細な説明】
【技術分野】
【００１】本発明は、温暖化防止に役立ち、自然エネルギーを利用し二酸化炭素を発生させない風力発電に関するものである。
【背景技術】
【００２】従来の風力発電は、風向きを予測しその方向に設置しプロペラを回転し、発電していた。
【先行技術文献】
【００３】
【特許文献１】
【特許文献２】
【発明の概要】
【発明が解決しようとする課題】
【００４】これまでの方法では、風の方向、風力等、条件を満たす必要がある。
又、小型化に出来ないという難点があった。
本発明はこれらの課題を解消するためになされたものである。
【課題を解決すための手段】
【００５】本発明においては、上記課題を解決するため、風を捕まえる事と、風を強める事が大変重要な課題である。そこで吸入口（Ａ）と送風筒（７）、回転翼羽根（１）の風受け窪み（２）が重要になる。大きく、風を吸い込み、狭い所を通す事で風力が増し回転を強くする。
【発明の効果】
【００６】自然エネルギーを利用し、生産活動を続ける事は、鉱物資源エネルギーを長期的に有効利用するために必要な技術である。この装置は小型で色々な所で利用できる事が容易であるため製品、販売のコストを大幅に低減させることができる。
【図面の簡単な説明】
【００７】
【図１】本発明の側面方向からの断面図である。
【図２】本発明の斜視図である。
【発明を実施するための形態】
【００８】以下、本発明の実施の形態について説明する。
風が、吸入口（Ａ）に入り、送風筒（６）で通りが狭くなるため増幅された風が、回転翼羽根（１）の、風受け窪み（２）で受ける、回転を終えた風は風送り羽根（７）で押し出されて、排出口（Ｂ）に出ていく。又、回転翼羽根（１）を回す時に、不必要な風を遮断するため、風避けカバー（５）を取付け、抵抗を受けずに回転軸（３）を回し発電する。
なお、底辺に水抜き穴を開ける。
【００９】本発明の使用に際しては、使用目的に沿って色々な形状に変形して、使用し，高い発電が必要な場合は、本体の横幅を変える事で可能である。
風速が強すぎる時は可動式風力調整弁（４）が回転計と連動して、自動的に調整する。
【００１０】本発明は電気が必要とする物や、場所を対象とし、自動車、電車、家庭、工場等、それぞれの目的に応じた使い方で設置する。
【符号の説明】
【００１１】１  回転翼羽根
２  風受け窪み
３  回転軸
４  可動式風力調整弁
５  風避けカバー
６  送風筒
７  風送り羽根
Ａ  吸入口
Ｂ  排出口
【図１】
2013113292.tif 000003
【図２】
2013113292.tif 000004
(57)【要約】【課題】  本発明は、地理的位置や天候および時間に影響される自然エネルギー発電システムの欠点を克服し、安全で安定した電力の供給を目的とする。【解決手段】  物体の水中での体積と浮力の自然法則を利用したもので、鍾と容器を一体化した装置の天地の関係により、得られる浮力に差が生じる。  この浮力の差を回転体の両側へ伝えることにより、バランスが崩れ回転体は回る。  回転体が回ることにより、再び、回転体の両側で天地が異なる状態となり、浮力の差を生じ続ける。  その浮力の差により回転体は回り続け、運動エネルギーを発生し続ける。  この運動エネルギーを電力へ変換することにより、現在における自然エネルギー発電システムの欠点を克服し、安全で安価な電力を、常時供給し続けることが可能となる。【選択図】図３
2013113293.tif 000002
【特許請求の範囲】
【請求項１】
主に浮力を得るために中を空洞にした容器の内外を、容器より一回り小さい錘が自由にスライド出来るようにさせたもので、錘が上に来た時にはその重さにより容器の内へ入りこみ、錘が下に来た時はその重さにより容器の外へ出る。
このように錘と容器の天地関係により、錘＋容器の一体化された全体の体積が異なる状態になる装置。
ただし、錘が容器をスライドする際、容器内に水が入り込まないよう、スライド部分を密閉する。
【請求項２】
水中において、請求項１による装置の質量は変わらないものの、水による浮力は物質の体積に比例する故、錘と容器の天地の関係による体積の変化で、請求項１による装置に対する浮力が変わる。
請求項１による装置を等間隔に取り付けたワイヤーにより、支柱上下部の回転体は回り、回転体が回ることにより、請求項１による装置は上下部回転体の頂上及び真下を越えた時点で天地が逆になり、再び浮力の異なる状態を作り出す。
これらのことを繰り返し行うことで、浮力の異なる状態を常に生じさせ、浮力の差による運動エネルギーを常時安定して得ようとする装置。
【発明の詳細な説明】
【技術分野】
【０００１】  本発明は、安定した電力の供給を目的とした、自然エネルギー発電装置の開発に関するものである。
【背景技術】
【０００２】  従来、自然エネルギーを利用した発電システムには、潮の干満を利用した潮力発電、火山大国である日本の地熱を利用した地熱発電、風の持つエネルギーを利用した風力発電、太陽のエネルギーを利用した太陽光発電がある。【０００３】  これらの発電システムは、地球温暖化による環境悪化、福島第一原子力発電所の事故に代表される放射能汚染等の危惧はなく、資源小国日本にとって、また、原爆被爆国日本にとっては理想的なものである。【０００４】  しかしながら、現在の発電システムは地理的位置や天候および時間に影響され、火力発電や原子力発電のように安定した電力の供給を維持することは難しく、工業立国である日本にとって、それらの状況の如何に拘らず、自然エネルギーによる安定した電力供給発電装置の開発が期待されているところである。
【発明の概要】
【発明が解決しようとする課題】
【０００５】  本発明は、このような従来の自然エネルギー発電装置が有していた問題を解決しようとするものであり、水中における物体の体積と浮力との自然法則を利用したもので、貯水池のみ建造すれば、場所、天候および時間に関係なく本システムを稼動させることができる。
【課題を解決するための手段】
【０００６】  この課題を解決するための請求項１による発明は、物体の体積と浮力との自然法則を利用するもので、容器と錘の天地関係により体積を変化させようとするものである。
錘が上にある場合は錘が容器内へ入り、請求項１による装置全体の体積は小となる。
請求項１による装置の天地が逆になった場合は、錘が容器外へ出、その全体の体積は大となる。
この様に、請求項１による装置の質量は同じであるものの、その全体の体積について、天地の状態により、異なるものとなる。【０００７】  また、請求項２の発明は、上下部の回転体に請求項１による装置を等間隔で取り付けたワイヤー等を掛け、体積大の状態である請求項１による装置の列が上部回転体をとおり過ぎる度に請求項１による装置の天地が逆になるようにしたもので、天地が逆になることにより、体積の小となる状態の列ができる。
このように、一方の列の請求項１による装置の体積は大、他方の列の請求項１による装置の体積は小となる状態を維持し続けるようにしたものである。【０００８】  この装置を水の中へ入れることにより、両方の列の質量は同じであるものの、体積の異なる各列には浮力の違いが生じる。その各列の浮力の差を利用し、上下部回転体を回転させようとするもので、これらのことが繰り返し続く限り回転体は回り続け、運動エネルギーを発生させることができる。
【発明の効果】
【０００９】  体積に比例する浮力の性質を利用したものであり、浮力の差のみで回転体を回転させ運動エネルギーを発生させることは、貯水池等のみ必要であり、地理的位置や天候、時間等に影響を受けることのない、安全で安価な電力を、昼夜問わず安定供給し続けることができる。
なお、本発明は、水中における物体の体積と浮力との自然法則を利用したものであり、浮力の差により生じたエネルギーを運動エネルギーに変換させ、発電しようとする自然エネルギー発電装置である。
貯水池等に水が存在する限り永久にエネルギーを生み出すものの、巷間伝わる永久機関ではない。また、エネルギー保存の法則にも抵触しない。
【図面の簡単な説明】
【００１０】
【図１】  主に異なる浮力を得るための装置の断面図である。
【図２】  図１による装置の正面図である。
【図３】  本システム全体の正面図である。
【図４】  本システム全体の側面図である。
【発明を実施するための形態】
【００１１】  以下、本発明の実施の形態について説明する。
図１、２は、主に水中において、異なる浮力を得るための装置であり、錘とそれより一回り大きな容器を一体化したもので、図１、２の装置の天地の状態により、錘は重力との関係により容器の中を出入する。そのことにより、図１、２による装置の全体の体積が異なり、浮力についても異なるものとなる。
なお、その際、容器内への水の浸入がないように、膜等で密閉しなければならない。
【００１２】  図３は支柱に設置した上下回転体に、図１、２による装置を等間隔に取り付けたワイヤー等を掛けたもので、本システム全体の正面図である。
【００１３】  図４は本システム全体の側面図である。
【符号の説明】
【００１４】１        錘
２        錘より一回り大きい容器
３        容器と錘の隙間を密封する膜
４        回転体
５        回転体を回すためのワイヤー
６        装置全体を支える支柱
７        心棒
８        発電機
９        符号２の容器をワイヤーに取り付けるための金物
【図１】
2013113293.tif 000003
【図２】
2013113293.tif 000004
【図３】
2013113293.tif 000005
【図４】
2013113293.tif 000006